(57)【要約】【課題】ドライブ装置に直接組み込まれたリールに設けられているクリーニングテープを清掃できるようにする。【解決手段】記録テープＴ及び記録テープＴと連続したヘッドクリーニング用のクリーニングテープＣが巻回された繰出リール１０と、記録テープＴ及びクリーニングテープＣが巻回される巻取リール２０と、クリーニングテープＣに圧接することで、クリーニングテープＣを清掃する清掃部材３２と、清掃部材３２をクリーニングテープＣに対して圧接させる圧接機構４０と、を有するドライブ装置６０とする。【選択図】図１
2012195023.tif 000002
【特許請求の範囲】
【請求項１】
記録テープ及び該記録テープと連続したヘッドクリーニング用のクリーニングテープが巻回された繰出リールと、
前記記録テープ及び前記クリーニングテープが巻回される巻取リールと、
前記クリーニングテープに圧接することで、該クリーニングテープを清掃する清掃部材と、
前記清掃部材を前記クリーニングテープに対して圧接させる圧接機構と、
を有することを特徴とするドライブ装置。
【請求項２】
前記清掃部材は、シート状に形成されていることを特徴とする請求項１に記載のドライブ装置。
【請求項３】
前記清掃部材は、繰出ロールから繰り出され、巻取ロールに巻き取られる構成とされていることを特徴とする請求項２に記載のドライブ装置。
【請求項４】
記録テープ及び該記録テープと連続したヘッドクリーニング用のクリーニングテープが巻回された繰出リールと、
前記記録テープ及び前記クリーニングテープが巻回される巻取リールと、
前記繰出リール及び前記巻取リールが収容される筐体に対して着脱可能に構成されたケースに一部を露出させた状態で設けられ、前記クリーニングテープが圧接することで、該クリーニングテープを清掃する清掃部材と、
前記クリーニングテープを前記清掃部材に対して圧接させる圧接機構と、
を有することを特徴とするドライブ装置。
【発明の詳細な説明】
【技術分野】
【０００１】
本発明は、ヘッドをクリーニングするクリーニングテープを清掃する清掃手段を備えたドライブ装置に関する。
【背景技術】
【０００２】
従来から、主にコンピューター等の情報記録再生媒体（データバックアップ）として使用される磁気テープ等の記録テープをリールに巻装し、そのリールをケース内に単一で収容してなる記録テープカートリッジが知られている。そして、この記録テープカートリッジに収容されるリールには、ドライブ装置の記録再生ヘッドをクリーニングするクリーニングテープが、記録テープに連続して設けられている（例えば、特許文献１参照）。
【先行技術文献】
【特許文献】
【０００３】
【特許文献１】特開２００６−１７９０５８号公報
【発明の概要】
【発明が解決しようとする課題】
【０００４】
上記のように、ドライブ装置に対して着脱される記録テープカートリッジの場合では、記録テープカートリッジ毎にクリーニングテープが設けられていることから、記録再生ヘッドに対して、常に同じクリーニングテープが使われるということはない。しかしながら、ドライブ装置に直接組み込まれているリールの場合、長期間、同じクリーニングテープが使われることになるため、クリーニングテープの清掃が必要となる。
【０００５】
そこで、本発明は、上記事情に鑑み、ドライブ装置に直接組み込まれたリールに設けられているクリーニングテープを清掃できるようにすることを目的とする。
【課題を解決するための手段】
【０００６】
上記の目的を達成するために、本発明に係る請求項１に記載のドライブ装置は、記録テープ及び該記録テープと連続したヘッドクリーニング用のクリーニングテープが巻回された繰出リールと、前記記録テープ及び前記クリーニングテープが巻回される巻取リールと、前記クリーニングテープに圧接することで、該クリーニングテープを清掃する清掃部材と、前記清掃部材を前記クリーニングテープに対して圧接させる圧接機構と、を有することを特徴としている。
【０００７】
請求項１に記載の発明によれば、ドライブ装置に組み込まれたリールに設けられているクリーニングテープを清掃することができる。
【０００８】
また、請求項２に記載のドライブ装置は、請求項１に記載のドライブ装置であって、前記清掃部材は、シート状に形成されていることを特徴としている。
【０００９】
請求項２に記載の発明によれば、ドライブ装置に組み込まれたリールに設けられているクリーニングテープを良好に清掃することができる。
【００１０】
また、請求項３に記載のドライブ装置は、請求項２に記載のドライブ装置であって、前記清掃部材は、繰出ロールから繰り出され、巻取ロールに巻き取られる構成とされていることを特徴としている。
【００１１】
請求項３に記載の発明によれば、ドライブ装置に組み込まれたリールに設けられているクリーニングテープを長期に亘って清掃することができる。
【００１２】
また、本発明に係る請求項４に記載のドライブ装置は、記録テープ及び該記録テープと連続したヘッドクリーニング用のクリーニングテープが巻回された繰出リールと、前記記録テープ及び前記クリーニングテープが巻回される巻取リールと、前記繰出リール及び前記巻取リールが収容される筐体に対して着脱可能に構成されたケースに一部を露出させた状態で設けられ、前記クリーニングテープが圧接することで、該クリーニングテープを清掃する清掃部材と、前記クリーニングテープを前記清掃部材に対して圧接させる圧接機構と、を有することを特徴としている。
【００１３】
請求項４に記載の発明によれば、ドライブ装置に組み込まれたリールに設けられているクリーニングテープを清掃することができる。また、清掃部材が汚れたら交換できるので、長期に亘ってクリーニングテープを清掃することができる。
【発明の効果】
【００１４】
以上のように、本発明によれば、ドライブ装置に直接組み込まれたリールに設けられているクリーニングテープを清掃することができる。
【図面の簡単な説明】
【００１５】
【図１】リールが組み込まれたドライブ装置を示す斜視図
【図２】リールが組み込まれたドライブ装置を示す平面図
【図３】クリーニングテープをクリーニングする第１実施形態に係るクリーニング手段を示す斜視図
【図４】クリーニングテープをクリーニングする第１実施形態に係るクリーニング手段を示す平面図
【図５】クリーニングテープをクリーニングする第２実施形態に係るクリーニング手段を示す斜視図
【図６】クリーニングテープをクリーニングする第２実施形態に係るクリーニング手段を示す平面図
【発明を実施するための形態】
【００１６】
以下、本発明に係る実施の形態について、図面を基に詳細に説明する。なお、説明の便宜上、図１における矢印ＵＰを上方向、矢印ＤＯを下方向とし、本実施形態に係るドライブ装置６０に直接組み込まれる繰出リールとしてのリール１０及び巻取リールとしてのリール２０の回転軸方向を上下方向（高さ方向）とする。
【００１７】
本実施形態に係るドライブ装置６０に直接組み込まれるリール１０、２０は、例えばポリカーボネート（ＰＣ）等の合成樹脂製とされており、図１で示すように、ドライブ装置６０の筐体６１（図１では底板６１Ａと３本の支柱６１Ｂのみが示されている）内に一対で収容されている。
【００１８】
すなわち、リール１０は、記録テープＴの繰り出し用とされ、リール２０は、記録テープＴの巻き取り用とされており、リール１０から繰り出された記録テープＴが、リール２０に巻き取られつつ、記録再生ヘッド７０に摺接するようになっている。つまり、この記録再生ヘッド７０によって、その記録テープＴに対してデータが記録されたり、その記録テープＴに記録されたデータが再生されたりするようになっている。
【００１９】
なお、記録再生ヘッド７０の両側における底板６１Ａには、複数個（図示のものは２個ずつで計４個）のテープガイド７２が回転自在に設けられており、リール１０から引き出され、リール２０に巻き取られる記録テープＴが、各テープガイド７２によって、ガイドされるようになっている。
【００２０】
繰り出し用のリール１０は、軸心部を構成する略円筒状のリールハブ１２と、その上端部側に設けられる環状の上フランジ１４と、その下端部側に設けられる環状の下フランジ１６と、リールハブ１２の内周面における高さ（軸）方向略中央部に一体に連設された補強部１８と、を含んで構成されている。
【００２１】
同様に、巻き取り用のリール２０も、軸心部を構成する略円筒状のリールハブ２２と、その上端部側に設けられる環状の上フランジ２４と、その下端部側に設けられる環状の下フランジ２６と、リールハブ２２の内周面における高さ（軸）方向略中央部に一体に連設された補強部２８と、を含んで構成されている。
【００２２】
そして、繰り出し用のリール１０におけるリールハブ１２の外周面には、情報記録再生媒体としての磁気テープ等の記録テープＴと、その記録テープＴに連続したクリーニングテープＣが巻回されるようになっており、上フランジ１４及び下フランジ１６によって、巻回された記録テープＴ及びクリーニングテープＣの幅方向の端部が保持されるようになっている。
【００２３】
なお、リール１０から繰り出されたクリーニングテープＣ及び記録テープＴは、巻き取り用のリール２０におけるリールハブ２２の外周面に巻回され、上フランジ２４及び下フランジ２６によって、その幅方向の端部が保持されるようになっている。また、クリーニングテープＣは、記録テープＴの繰り出し方向側端部に連続して設けられている。
【００２４】
また、本実施形態における「略円筒状」には、記録テープＴが巻回される各リールハブ１２、２２の外周面（巻面）の形状が太鼓形状等に形成されている概ね円柱状であるもの、及び各リールハブ１２、２２の内周面側にリブ等が突設されている完全な円筒状でない中空状であるものなども含まれる。
【００２５】
また、ドライブ装置６０には、回転駆動源としてのモーター（図示省略）が配置されており、そのモーターの回転軸（図示省略）から伝達ギア（図示省略）を介して回転駆動力が伝達される一対の樹脂製又は金属製の回転部材が、ドライブ装置６０の筐体６１（底板６１Ａ）に形成された一対の開口部内にそれぞれ回転可能に設けられている。そして、各回転部材に、各リール１０、２０におけるリールハブ１２、２２の補強部１８、２８が、ビスによって固定されるようになっている。
【００２６】
次に、クリーニングテープＣをクリーニングする第１実施形態に係るクリーニング手段３０について説明する。図１、図２で示すように、このクリーニング手段３０は、リール１０から繰り出されたクリーニングテープＣが記録再生ヘッド７０に摺接する前にクリーニングできるように、記録再生ヘッド７０よりも記録テープＴの繰り出し方向上流側の底板６１Ａに配設されている。
【００２７】
クリーニング手段３０は、図３、図４で示すように、クリーニングテープＣと同じ幅か、それよりも若干大きい幅とされたシート状のクリーニング部材３２と、クリーニング部材３２を繰り出す繰出ロール３４と、クリーニング部材３２を巻き取る巻取ロール３６と、繰出ロール３４から繰り出され、巻取ロール３６に巻き取られるクリーニング部材３２を、クリーニングテープＣに対して対向させるように所定間隔を隔ててガイドする、フリー回転可能に支持された一対のガイドロール３８と、を有している。
【００２８】
そして更に、このクリーニング手段３０は、一対のガイドロール３８の間で、クリーニングテープＣの張架方向（延在方向）と直交する方向（以下「圧接方向Ａ」及び「離隔方向Ｂ」という：図３、図４参照）に移動可能に構成され、クリーニングテープＣから退避している状態のクリーニング部材３２をクリーニングテープＣに圧接させる圧接機構４０と、を有している。
【００２９】
圧接機構４０は、シート状のクリーニング部材３２に対向する外周面４２Ａを有する押圧部材としての押圧ロール４２と、押圧ロール４２をフリー回転可能に支持するシャフト４４と、シャフト４４を圧接方向Ａ及び離隔方向Ｂへ移動させる移動手段（図示省略）と、を有している。なお、移動手段としては、例えばラックとピニオン等の任意の構成を採用することができる。
【００３０】
また、押圧ロール４２における外周面４２Ａの高さは、クリーニング部材３２の幅と略同一とされており、筐体６１（底板６１Ａ）には、シャフト４４の移動を許容する長孔部６２が形成されている。したがって、押圧ロール４２は、クリーニング部材３２から退避した退避位置と、クリーニング部材３２をクリーニングテープＣに対して押し付ける圧接位置とを取り得る構成である。
【００３１】
また、巻取ロール３６は、図示しないステッピングモーター等の回転駆動源によって回転駆動されるようになっており、繰出ロール３４は、従動回転するようになっている。したがって、クリーニング部材３２の一部の摺接面がクリーニングテープＣに摺接することで汚れたら、巻取ロール３６（繰出ロール３４）が一方向に所定量回転することにより、クリーニング部材３２の新しい摺接面でクリーニングテープＣをクリーニングできる構成である。
【００３２】
なお、クリーニング部材３２は、不織布等で構成されている。また、巻取ロール３６は、クリーニング部材３２のクリーニングテープＣとの摺接（接触）面側を内側にして巻き取るようになっている。これにより、クリーニング部材３２の汚れた摺接面が露出されない構成であり、その摺接面から塵埃等が落下するのを防止できる構成である。
【００３３】
また、クリーニング部材３２の摺接面の交換時期は、例えばクリーニングテープＣの全長を１回クリーニングしたら交換するなど、そのクリーニング回数などから判断される。また、クリーニングテープＣに対してクリーニング部材３２を摺接させるようにするタイミングは、リール１０の繰り出し量（リール２０の巻き取り量）を検出することなどによって判断される。
【００３４】
また、図１、図２で示すように、押圧ロール４２と一方のガイドロール３８との間及び押圧ロール４２と他方のガイドロール３８との間で、かつクリーニングテープＣの走行経路Ｐを挟んだ反対側には、クリーニング部材３２が押し付けられたクリーニングテープＣを張架状態に支持する一対の支持ロール４６が、所定間隔を隔ててフリー回転可能に設けられている。
【００３５】
これにより、クリーニングテープＣがクリーニング部材３２に対して摺接可能となる構成である。すなわち、クリーニング部材３２がクリーニングテープＣを全長に亘ってクリーニングできるようになる構成である。
【００３６】
以上のような構成のクリーニング手段３０において、次にその作用について説明する。なお、リール１０とリール２０との間に張架されてクリーニングテープＣは、記録テープＴの繰り出し方向側端部に連続して設けられているので、リール１０の使用前（記録テープＴにデータを記録又は記録テープＴからデータを読み取る前）において、リール１０の繰り出し量（リール２０の巻き取り量）を制御することにより、クリーニング部材３２に対向する位置に配置することができる。
【００３７】
さて、リール１０を使用する（記録テープＴにデータを記録又は記録テープＴからデータを読み取る）際には、クリーニングテープＣによって記録再生ヘッド７０をクリーニングしてから、その記録再生ヘッド７０に記録テープＴが摺接される。したがって、記録再生ヘッド７０を何度もクリーニングすることにより、クリーニングテープＣが汚れてきたら、クリーニング手段３０によって、そのクリーニングテープＣをクリーニングする。
【００３８】
すなわち、まず、記録テープＴ及びクリーニングテープＣをリール１０に完全に巻き取る。そして、リール１０の繰り出し量（リール２０の巻き取り量）を制御（検出）し、クリーニングテープＣの繰り出し方向側端部をクリーニング部材３２に対向配置させる。次いで、退避位置に待機している押圧ロール４２を、移動手段により圧接方向Ａへ移動させる。
【００３９】
このとき、クリーニングテープＣは、一対の支持ロール４６によって張架状態に支持されているため、一対のガイドロール３８間に張架されているクリーニング部材３２は、押圧ロール４２が圧接方向Ａに移動することにより、クリーニングテープＣに圧接される（図４参照）。クリーニング部材３２がクリーニングテープＣに圧接されたら、リール１０、２０を所定量（クリーニングテープＣの全長をクリーニングできる量）回転させ、クリーニングテープＣをクリーニング部材３２に相対的に摺接させる。
【００４０】
これにより、クリーニングテープＣが全長に亘って良好にクリーニングされ、クリーニングされたクリーニングテープＣにより、再び、記録再生ヘッド７０のクリーニングがなされる。なお、クリーニング部材３２によるクリーニングテープＣのクリーニングが完了したら、移動手段により、押圧ロール４２を離隔方向Ｂへ移動させ、走行経路Ｐを走行する記録テープＴからクリーニング部材３２を退避させる。
【００４１】
また、クリーニング部材３２によるクリーニングテープＣのクリーニングが完了したら、押圧ロール４２が退避位置に退避している状態で、巻取ロール３６（繰出ロール３４）を一方向（クリーニング部材３２を巻き取る方向）に回転させ、クリーニングテープＣに摺接させるクリーニング部材３２の摺接面を交換する。
【００４２】
これにより、次回のクリーニングテープＣに対するクリーニング動作に備えることができる。また、繰出ロール３４に巻回されているクリーニング部材３２を使い切るまで、クリーニングテープＣをクリーニングできるため、長期に亘って、クリーニングテープＣをクリーニングすることができる。
【００４３】
次に、クリーニングテープＣをクリーニングする第２実施形態に係るクリーニング手段５０について説明する。なお、上記第１実施形態に係るクリーニング手段３０と同等の部位には、同じ符号を付して詳細な説明は省略する。この第２実施形態に係るクリーニング手段５０は、ドライブ装置６０の筐体６１（底板６１Ａ）に対して着脱可能に構成されている。
【００４４】
すなわち、このクリーニング手段５０は、図５、図６で示すように、略矩形状のケース５２を有しており、このケース５２は、筐体６１の底板６１Ａに位置決めされた状態で、かつ着脱可能に設けられている。なお、ケース５２を底板６１Ａに対して位置決めする手段としては、例えば底板６１Ａ上に図示しないリブ等を突設するなど、公知の手段が採用できる。
【００４５】
また、ケース５２を底板６１Ａに対して着脱可能とする構成としては、例えば後述する支持ロール５６Ａに、後述するステッピングモーター６４の回転軸６６が取り外し可能に接続されることで着脱される構成にしてもよいし、他の公知の手段によって着脱される構成にしてもよい。
【００４６】
また、このケース５２内には、不織布等で構成されたシート状のクリーニング部材３２と、クリーニング部材３２の一端部と他端部に、それぞれ一端部及び他端部が接続されたベルト５４と、ベルト５４が巻き掛けられる（張架される）とともに、そのベルト５４を移動可能に支持する複数本（例えば４本）の支持ロール５６と、が設けられている。
【００４７】
そして、このケース５２のクリーニングテープＣに対向する側壁には、クリーニング部材３２の一部を露出させる開口部５２Ａが形成されており、その開口部５２Ａに臨むケース５２内には、クリーニング部材３２の一部を開口部５２Ａから露出させるように支持する支持ロール５８がフリー回転可能に設けられている。
【００４８】
また、クリーニング手段５０（ケース５２）がドライブ装置６０に装着されたとき、複数本の支持ロール５６のうち、少なくとも１本の支持ロール５６Ａには、ドライブ装置６０に設けられた回転駆動源としてのステッピングモーター６４の回転軸６６が相対回転不能に、かつ取り外し可能に接続されるようになっている。
【００４９】
このステッピングモーター６４の回転軸６６が所定量回転することにより、各支持ロール５６がベルト５４を介して回転し、クリーニング部材３２の開口部５２Ａから露出している摺接面が移動されるようになっている。つまり、これにより、クリーニング部材３２の摺接面が交換可能とされている。
【００５０】
なお、ケース５２内に設けられたクリーニング部材３２を使い切ったとき（クリーニング部材３２において、クリーニングできる摺接面が無くなったとき）には、ドライブ装置６０の筐体６１（底板６１Ａ）からクリーニング手段５０（ケース５２）を取り外し、新しいクリーニング手段５０（ケース５２）を、その筐体６１（底板６１Ａ）に装着できるようになっている。
【００５１】
また、図５、図６で示すように、この第２実施形態においては、一対の支持ロール４６が、圧接方向Ａ及び離隔方向Ｂ（第１実施形態の圧接方向Ａ及び離隔方向Ｂとはそれぞれ逆方向となる）へ、圧接機構４０の移動手段によって移動可能に構成されている。つまり、この一対の支持ロール４６が押圧部材とされ、クリーニングテープＣから退避した退避位置と、クリーニングテープＣをクリーニング部材３２に対して押し付ける圧接位置とを取り得るようになっている。
【００５２】
したがって、一対の支持ロール４６により、クリーニングテープＣが圧接方向Ａへ移動され、クリーニング部材３２に対してクリーニングテープＣが圧接しつつ摺接することにより、そのクリーニングテープＣがクリーニング部材３２によってクリーニングされる構成である。なお、この場合も、筐体６１（底板６１Ａ）には、支持ロール４６のシャフト４８の移動を許容する長孔部６２が形成されている。
【００５３】
以上のような構成のクリーニング手段５０において、次にその作用について説明する。なお、上記第１実施形態と同等の作用については、その説明を省略する。記録再生ヘッド７０を何度もクリーニングすることにより、クリーニングテープＣが汚れてきたら、クリーニング手段５０によって、そのクリーニングテープＣをクリーニングする。
【００５４】
すなわち、まず、記録テープＴ及びクリーニングテープＣをリール１０に完全に巻き取る。そして、リール１０の繰り出し量（リール２０の巻き取り量）を制御（検出）し、クリーニングテープＣの繰り出し方向側端部をクリーニング部材３２に対向配置させる。次いで、退避位置に待機している一対の支持ロール４６を、移動手段により圧接方向Ａへ移動させる。
【００５５】
このとき、クリーニング部材３２は、支持ロール５８によって支持された状態で開口部５２Ａから露出しているため、一対の支持ロール４６が圧接方向Ａに移動することにより、クリーニングテープＣがクリーニング部材３２に圧接される（図６参照）。クリーニングテープＣがクリーニング部材３２に圧接されたら、リール１０、２０を所定量（クリーニングテープＣの全長をクリーニングできる量）回転させ、クリーニングテープＣをクリーニング部材３２に相対的に摺接させる。
【００５６】
これにより、クリーニングテープＣがクリーニングされ、クリーニングされたクリーニングテープＣにより、再び、記録再生ヘッド７０のクリーニングがなされる。なお、クリーニング部材３２によるクリーニングテープＣのクリーニングが完了したら、移動手段により、支持ロール４６を離隔方向Ｂへ移動させ、クリーニング部材３２から記録テープＴを退避させる。
【００５７】
また、クリーニング部材３２によるクリーニングテープＣのクリーニングが完了したら、支持ロール４６が退避位置に退避している状態で、ステッピングモーター６４により支持ロール５６Ａ（支持ロール５６）を一方向に回転させてベルト５４を所定量移動させ、クリーニングテープＣに摺接させるクリーニング部材３２の摺接面を交換する。これにより、次回のクリーニングテープＣに対するクリーニング動作に備えることができる。
【００５８】
また、クリーニング手段５０のケース５２内に設けられたクリーニング部材３２を使い切ったら、ドライブ装置６０の筐体６１（底板６１Ａ）から、そのクリーニング手段５０（ケース５２）を取り外す。そして、新しいクリーニング手段５０（ケース５２）を、その筐体６１（底板６１Ａ）に装着する。これにより、長期に亘って、クリーニングテープＣをクリーニングすることができる。
【００５９】
以上、本実施形態に係るドライブ装置６０について図面を基に説明したが、本実施形態に係るドライブ装置６０は、図示のものに限定されるものではなく、本発明の要旨を逸脱しない範囲内で適宜設計変更可能なものである。例えば、第２実施形態におけるクリーニング手段５０のケース５２内に、第１実施形態におけるクリーニング手段３０の繰出ロール３４と巻取ロール３６とに張架されたクリーニング部材３２を設ける構成にしてもよい。
【００６０】
また、第２実施形態におけるクリーニング手段５０を新しいものに交換する際、ケース５２内からクリーニング部材３２だけ、又はクリーニング部材３２とベルト５４だけを取り出し、新しいクリーニング部材３２、又は新しいクリーニング部材３２とベルト５４をケース５２内に設けるようにして、ケース５２（支持ロール５６、５６Ａを含む）を再利用する構成にしてもよい。
【００６１】
また、本実施形態に係るドライブ装置６０において、リール１０が巻取リールとされ、リール２０が繰出リールとされてもよい。つまり、リール１０及びリール２０は、その役割（繰出及び巻取）が反転し得るものである。また、記録再生ヘッド７０は、記録、再生の少なくとも一方を行うヘッドであればよい。
【符号の説明】
【００６２】
１０  リール（繰出リール）
２０  リール（巻取リール）
３０  クリーニング手段
３２  クリーニング部材（清掃部材）
３４  繰出ロール
３６  巻取ロール
４０  圧接機構
５０  クリーニング手段
５２  ケース
６０  ドライブ装置
７０  記録再生ヘッド
Ｃ  クリーニングテープ
Ｔ  記録テープ
【図１】
2012195023.tif 000003
【図２】
2012195023.tif 000004
【図３】
2012195023.tif 000005
【図４】
2012195023.tif 000006
【図５】
2012195023.tif 000007
【図６】
2012195023.tif 000008